(57)【要約】      （修正有）【課題】外部湿気の侵入を防止するランプの防水構造を提供する。【解決手段】ランプホルダー１、２個の嵌合接続管２を備え、ランプホルダー１は結合プラットホーム１１に照明灯を取り付け、光透過シェード１５で覆い、反対側には散熱部１２を設置し熱を散熱し、散熱部１２と結合プラットホーム１１とが隣接する周縁には定位槽１１１を設置し、内側に防水材１３を備える。光透過シェード１５は、係合固定凸体１５１を定位槽１１１に嵌め入れ、防水材１３を押さえて密着状結合の防水作用を形成する。ランプホルダー１両側辺には嵌合接続管２をそれぞれ嵌めて設置し、しかも２個の嵌合接続管２内部の収容設置空間２０には、複数の接触支持凸ブロック２１を備え、複数の接触支持凸ブロック２１外周には、防水ワッシャ２２を設置し、２個の嵌合接続管２はそれぞれランプホルダー１両側と緊密に接触して密着状に結合する。【選択図】図２
0003184713.tif 000002
【実用新案登録請求の範囲】
【請求項１】
ランプの防水構造は、ランプホルダー、２個の嵌合接続管を備え、前記ランプホルダーは、照明灯を取り付ける結合プラットホームを備え、しかも前記結合プラットホーム反対側には、熱を散熱することができる散熱部を形成し、前記散熱部と前記結合プラットホームが隣接する周縁には、内側に防水材を備える定位槽を設置し、さらに前記結合プラットホームと照明灯外側には、遮蔽作用を備える光透過シェードを取り付け、前記光透過シェード両側には、前記定位槽に嵌め入れ、防水材を押さえて密着状結合作用を形成する係合固定凸体を設置し、
前記２個の嵌合接続管は、前記ランプホルダーの両側辺にそれぞれ嵌めて設置し、しかも前記２個の嵌合接続管内部には、複数の接触支持凸ブロックを備える収容設置空間を設置し、前記複数の接触支持凸ブロック外周には、前記ランプホルダー両側とそれぞれ緊密に接触して密着状の結合を形成する防水ワッシャを設置することを特徴とするランプの防水構造。
【請求項２】
前記ランプホルダーは、前記結合プラットホーム両側に、貫通した結合槽孔をそれぞれ設置し、前記２個の結合槽孔に相対し、前記２個の嵌合接続管の収容設置空間の複数の接触支持凸ブロック内部には、緊密結合部品を通し、さらに前記２個の結合槽孔を通過し、緊密に結合して組み合わせる停止棒と２個の貫通孔をそれぞれ設置することを特徴とする請求項１に記載のランプの防水構造。
【請求項３】
前記結合プラットホームと前記散熱部は、銅、アルミ、或いは金属合金などの導熱、散熱機能を備える材質で製造することを特徴とする請求項１に記載のランプの防水構造。
【請求項４】
前記ランプホルダーの結合プラットホーム反対側の散熱部は、中空状を呈することを特徴とする請求項１に記載のランプの防水構造。
【請求項５】
前記２個の嵌合接続管は、前記ランプホルダーの反対側の外部に、外蓋をそれぞれ設置し、しかも、前記外蓋には、前記ランプホルダーの照明灯と、それぞれ電気的に連接する２個の電極ピンを設置することを特徴とする請求項１に記載のランプの防水構造。
【請求項６】
前記ランプホルダーの周縁定位槽内部の防水材は、防水テープ、或いは防水シリコンであることを特徴とする請求項１に記載のランプの防水構造。
【考案の詳細な説明】
【技術分野】
【０００１】
本考案はランプの防水構造に係わり、特にランプの防水構造に関する。
ランプホルダーと両側の嵌合接続管間に、それぞれ防水材、防水ワッシャを利用し防水機能を達成する防水構造で、防水材、防水ワッシャを利用し、隙間を堅固に密着させて結合し、外部湿気の浸入を防止する目的を達成する。
【背景技術】
【０００２】
電灯が発明されて以来、それを夜間の照明に利用することで、夜の生活は昼間と同じように便利になった。
蛍光灯、電気スタンド、デスクスタンド、ウォールライトなどを室内照明とする他、街路灯、装飾街路灯を屋外の照明として使用し、或いは警告灯を道路障害の警告標示に用いるなど、電灯はさまざまに利用されている。
【０００３】
各種室内或いは屋外の夜間照明において、ランプが使用する電球、或いは蛍光灯は、露出して直接空気と接触している。
しかし、気候が海洋性気候に属すれば湿度が高く、空気中には常に大量の水分と湿気を含んでおり、水分と湿気は、ランプの電球や蛍光灯と直接接触し、内部に浸入してくる。
このため、大部分のランプの電球や蛍光灯は、一定時間の使用後は、内部の配線、電子パーツなどが、水分により湿気てしまい、酸化し錆び或いは劣化して砕け、またはショートするなどの現象が発生し、電球や蛍光灯の使用寿命を短くしている。
【０００４】
しかし、現在の各種照明灯の電球や蛍光灯などは、製造完成後にそのまま消費者に販売されるため、防水或いはそれに関連する処理は施されていない。
そのため、ランプの隙間部分は、水分や湿気が浸入しやすい位置となってしまっている。
これにより、ランプの損壊を招くばかりか、ランプを接続する配線に接触不良などの状況も間接的に発生してしまう。
【０００５】
ランプを使用する際には、湿度が入り込み、ショートしやすいなどの欠点が存在する。
またこれが原因で、電球や蛍光灯の内部配線、電子パーツなどは故障しやすい。
本考案は、従来のランプの上記した欠点に鑑みてなされたものである。
【考案の概要】
【考案が解決しようとする課題】
【０００６】
本考案が解決しようとする課題は、蛍光灯に防水作用を施して保護し、水分や湿気による影響を受けにくくすることができるランプの防水構造を提供することである。
【課題を解決するための手段】
【０００７】
上記課題を解決するため、本考案は下記のランプの防水構造を提供する。
ランプの防水構造は、ランプホルダー、２個の嵌合接続管を備え、該ランプホルダーは、結合プラットホームに照明灯を取り付け、光透過シェードで覆い、反対側には散熱部を設置し、熱を発散し、該散熱部と該結合プラットホームが隣接する周縁には定位槽を設置し、内側に防水材(防水テープ或いは防水シリコンなどの防水機能を備える防水材)を備え、該光透過シェード両側は、係合固定凸体により該定位槽に嵌め入れられ、防水材を押さえて密着状結合の防水作用を形成し、該ランプホルダー両側辺には、嵌合接続管をそれぞれ嵌めて設置し、しかも該２個の嵌合接続管内部の収容設置空間には、複数の接触支持凸ブロックを備え、該複数の接触支持凸ブロック外周には、防水ワッシャを設置し、該２個の嵌合接続管は、それぞれ該ランプホルダー両側と緊密に接触して密着状に結合し、該ランプホルダーと該２個の嵌合接続管との間に防水効果を達成し、ランプは湿気の影響を受けなくなる。
【考案の効果】
【０００８】
本考案のランプの防水構造は、ランプホルダーの結合プラットホーム、散熱部の周囲に、防水材を嵌めて設置し、ランプホルダー両側には、２個の嵌合接続管を対応させて嵌めて設置し、２個の嵌合接続管内部の防水ワッシャにより、結合プラットホーム、散熱部、光透過シェード側辺を緊密に押さえ、こうしてランプホルダーと２個の嵌合接続管を嵌めて接続し、防水目的を達成する。
しかも、防水材は、ランプホルダーの定位槽に直接嵌め入れて設置することができ、緩みや落下の恐れがなくなる。
こうして、ランプホルダーの結合プラットホームと光透過シェードの組合せ時、組み立てと定位を迅速に行うことができ、ランプホルダーと２個の嵌合接続管との間に防水効果を達成し、ランプは湿気の影響を受けなくなる。
【図面の簡単な説明】
【０００９】
【図１】本考案の立体外観図である。
【図２】本考案の立体分解図である。
【図３】本考案の側視断面図である。
【図４】本考案の別の方向からの側視断面図である。
【考案を実施するための形態】
【００１０】
以下に図面を参照しながら本考案を実施するための最良の形態について詳細に説明する。
【実施例】
【００１１】
本考案の立体外観図、立体分解図、側視断面図、方向からの側視断面図である図１〜４に示すように、本考案のランプは、ランプホルダー１、２個の嵌合接続管２を備える。
【００１２】
ランプホルダー１は、結合プラットホーム１１を備える。
結合プラットホーム１１両側の辺縁内側には、結合槽孔１１０をそれぞれ設置し、反対側は、中空状の散熱部１２を形成する。
結合プラットホーム１１の、散熱部１２に隣接する別の両側には、定位槽１１１をそれぞれ陥没状に設置する。
さらに、２個の定位槽１１１の内側には、防水材１３を設置し、防水材１３により、結合プラットホーム１１と散熱部１２との隣接する位置を止める。
こうして、結合プラットホーム１１上には、照明灯１４を取り付け、しかも照明灯１４外部は、光透過シェード１５により覆う。
【００１３】
光透過シェード１５は、アーチ形状を呈し、相対する２個の内側には、係合固定凸体１５１をそれぞれ突出状に設置し、両側の係合固定凸体１５１を利用し、結合プラットホーム１１両側の定位槽１１１内に嵌めて入れる。
さらに、防水材１３の両端を押さえて、緊密な圧迫と密着結合状の組合せを達成する。
【００１４】
２個の嵌合接続管２は、内部に、収容設置空間２０を備える。
しかも、２個の収容設置空間２０内部には、複数の接触支持凸ブロック２１を突出状に設置し、複数の接触支持凸ブロック２１周囲には、防水ワッシャ２２を嵌めて設置する。
複数の接触支持凸ブロック２１に相対する、２個の収容設置空間２０の反対側には、停止棒２３を設置する。
さらに、停止棒２３両側には、貫通孔２３０を設置し、収容設置空間２０まで貫通する。
２個の嵌合接続管２の停止棒２３と２個の貫通孔２３０を利用し、それぞれ２個の緊密結合部品２４を通して設置する。
２個の嵌合接続管２の停止棒２３外側において、外蓋２５をそれぞれ設置し、しかも２個の外蓋２５において、２個の電極ピン２５１を通して設置する。
【００１５】
上記した各構成部材の組立て時には、ランプホルダー１両側は、２個の嵌合接続管２を利用し、それぞれ収容設置空間２０を対応させて、嵌めて設置する。
しかも、ランプホルダー１の結合プラットホーム１１上に設置する照明灯１４は、両側の嵌合接続管２外側の外蓋２５の電極ピン２５１に、それぞれ電気的に連接する。
さらに、２個の緊密結合部品２４を利用し、貫通孔２３０にそれぞれ貫通させ、結合プラットホーム１１両側の結合槽孔１１０に結合後、別の貫通孔２３０から抜け出し、緊密に結合する。
続いて、２個の嵌合接続管２の接触支持凸ブロック２１外周の防水ワッシャ２２で、ランプホルダー１の結合プラットホーム１１、光透過シェード１５両側においてそれぞれ緊密に押さえ、こうして緊密な圧迫、密着状の結合を呈する組立て作用を達成し、本考案のランプの防水構造を構成する。
【００１６】
ランプホルダー１は、結合プラットホーム１１反対側に、散熱部１２を設置する。
散熱部１２は、中空状を呈し、銅、アルミ、或いは金属合金などの導熱、散熱機能を備える材質で製造する。
結合プラットホーム１１上に設置する照明灯１４は、回路がレイアウトされた回路基板１４１上に、複数の発光ダイオード(LED)１４２とすることができる。
しかも、結合プラットホーム１１、照明灯１４上方を覆う光透過シェード１５は、透明、半透明、或いはフロストガラスなどの光透過、或いは半光透過などの材質により製造する。
【００１７】
２個の嵌合接続管２は、収容設置空間２０内に、複数の接触支持凸ブロック２１をそれぞれ設置し、ランプホルダー１の結合プラットホーム１１、散熱部１２に対応する。
各接触支持凸ブロック２１は、中空散熱部１２内に通して入れることができる半円形弧状、結合プラットホーム１１に接触して押さえることができる細長い板状、光透過シェード１５内に接触することができる板状などにそれぞれ成型する。
これにより、２個の嵌合接続管２は、ランプホルダー１両側にそれぞれ嵌めて設置し、それぞれ接触支持凸ブロック２１を押さえ、結合プラットホーム１１、散熱部１２、光透過シェード１５にそれぞれ接触して押さえ、緊密な対応接続、組立てを形成する。
各接触支持凸ブロック２１周囲に嵌めて設置する防水ワッシャ２２は、結合プラットホーム１１、散熱部１２、光透過シェード１５の側辺に緊密に接触し、密着状の結合、防水の効果を達成することができる。
【００１８】
しかも、ランプホルダー１の結合プラットホーム１１両側の定位槽１１１には、防水材(防水テープ、或いは防水シリコンなどの防水機能を備える防水材)１３を嵌めて入れることができ、防水材１３は、緩んだり、脱落したりする恐れがない。
さらに、光透過シェード１５を、結合プラットホーム１１に迅速に取り付け、両側の係合固定凸体１５１を、両側の定位槽１１１に対応させて嵌めて入れ、しかも防水材１３を緊密に押さえ、組立てを簡単かつ迅速に行うことができる。
【００１９】
上記の本考案名称と内容は、本考案技術内容の説明に用いたのみで、本考案を限定するものではない。
本考案ランプの防水構造は、ランプホルダー１の結合プラットホーム１１、散熱部１２の周囲に、防水材１３を嵌めて設置し、ランプホルダー１両側には、２個の嵌合接続管２を対応させて嵌めて設置し、２個の嵌合接続管２内部の防水ワッシャ２２により、結合プラットホーム１１、散熱部２、光透過シェード１５側辺を緊密に押さえ、こうしてランプホルダー１と２個の嵌合接続管２を嵌めて接続し、防水を形成する目的を達成する。
しかも、防水材１３は、ランプホルダー１の定位槽１１１に直接嵌め入れて設置することができ、緩みや落下の恐れがなくなる。
こうして、ランプホルダー１の結合プラットホーム１１と光透過シェード１５の組合せ時、組み立てと定位を迅速に行うことができる。
【００２０】
本考案ランプの防水構造の設計は、ランプホルダー１の結合プラットホーム１１、散熱部１２両側に定位槽１１１を設置し、これに防水材(防水テープ、或いは防水シリコンなどの防水機能を備える防水材)１３を嵌めて入れることができ、防水材１３は、緩んだり、脱落したりする恐れがない。
さらに、ランプホルダー１両側には、それぞれ嵌合接続管２を嵌めて設置し、これによりランプは良好な防水効果を備えることができる。
また、ランプホルダー１両側の定位槽１１１内には、それぞれ防水材１３を嵌めていれ、さらにランプホルダー１両側の嵌合接続管２の両側を、防水ワッシャ２２で緊密に押さえ、ランプホルダー１外部の湿気の浸入を防止する機能を備える。
これにより、ランプホルダー１は良好な防水作用を備え、ランプホルダー１内に予め設置する配線、或いは電子パーツなどの酸化、サビ、故障を回避し、ランプの使用十秒を延長することができる。
【００２１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００２２】
１      ランプホルダー
１１    結合プラットホーム
１１０  結合槽孔
１１１  定位槽
１２    散熱部
１３    防水材
１４    照明灯
１４１  回路基板
１４２  発光ダイオード
１５    光透過シェード
１５１  係合固定凸体
２      嵌合接続管
２０    収容設置空間
２１    接触支持凸ブロック
２２    防水ワッシャ
２３    停止棒
２３０  貫通孔
２４    緊密結合部品
２５    外蓋
２５１  電極ピン
【図１】
0003184713.tif 000003
【図２】
0003184713.tif 000004
【図３】
0003184713.tif 000005
【図４】
0003184713.tif 000006